(57)【要約】【課題】  運搬時の負担の軽減を図り、運搬作業の効率を向上する。【解決手段】  物品を収納する収納部１１と、この収納部１１を支持して腰回りに装着するためのベルト部１２とを有するバッグ部材５を備える。また、剛性を有する材料からなり、運搬物３を支持するための水平支持板２５と、この水平支持板２５に直交して一体に形成されて腹部に押し当てられる腹当て部２６とを有し、バッグ部材５に設けられた運搬補助部材６を備える。【選択図】  図１
2005280884.tif 000002
【特許請求の範囲】
【請求項１】
物品を収納する収納部と、該収納部を支持して腰回りに装着するためのベルト部とを有するバッグ部材と、
剛性を有する材料からなり、運搬物を支持するための水平支持部と、該水平支持部に直交して一体に形成されて腹部に押し当てられる腹当て部とを有し、前記バッグ部材に設けられた運搬補助部材と
を備える運搬補助用ウエストバッグ。
【請求項２】
前記バッグ部材は、前記ベルト部に設けられて腰部に押し当てられる腰当て部を有している請求項１に記載の運搬補助用ウエストバッグ。
【請求項３】
前記運搬補助部材は、プラスチック製段ボールからなり、前記水平支持部と前記腹当て部と跨って設けられた補強板を有する請求項１に記載の運搬補助用ウエストバッグ。
【請求項４】
前記バッグ部材の外周部には、前記運搬補助部材の前記水平支持部に対応する位置に、前記運搬物の滑り止め手段が設けられている請求項１に記載の運搬補助用ウエストバッグ。
【発明の詳細な説明】
【技術分野】
【０００１】
本発明は、物品が収納された収納箱等の運搬物を運搬するための運搬補助用ウエストバッグに関する。
【背景技術】
【０００２】
従来、各種運搬物を運搬する際の作業効率の向上や負担の軽減を図るために、各種の運搬物の形態に対応して、種々の運搬補助具が提案されている。この種の運搬補助具としては、肩掛け型や背負子型の運搬用具が知られている。
【０００３】
肩掛け型の従来の運搬補助具としては、ガラス板等の運搬物を運搬するために、運搬者の肩部に掛けるベルトと、このベルトに設けられて運搬物を載せるための受板部とを備える構成が開示されている（例えば、特許文献１参照。）。
【特許文献１】特開平１０−３３８３１７号公報（図１）
【発明の開示】
【発明が解決しようとする課題】
【０００４】
ところで、運搬物として、物品が収容された段ボール箱等を運搬する場合には、特に、複数の段ボール箱を積み重ねて運搬することもあり、運搬物の全荷重が腕部および腰部にかかり、肩こりや腰痛を招いている。
【０００５】
また、腕部の筋力が比較的小さい運搬者では、複数の段ボール箱を積み重ねて運搬することが困難であった。
【０００６】
そして、上述した従来の肩掛け型の運搬補助具のように、運搬者の肩部に運搬物を吊り下げるように支持する構成では、肩部や腰部にかかる負荷が大きい。また、背負子型の運搬補助具も同様に肩部や腰部にかかる負荷が大きく、腕部による支持力がほとんど利用されていない。
【０００７】
そこで、本発明は、運搬時の負担の軽減を図り、運搬作業の効率を向上することができる運搬補助用ウエストバッグを提供することを目的とする。
【課題を解決するための手段】
【０００８】
上述した目的を達成するため、本発明に係る運搬補助用ウエストバッグは、物品を収納する収納部と、この収納部を支持して腰回りに装着するためのベルト部とを有するバッグ部材を備える。また、この運搬補助用ウエストバッグは、剛性を有する材料からなり、運搬物を支持するための水平支持部と、この水平支持部に直交して一体に形成されて腹部に押し当てられる腹当て部とを有し、バッグ部材に設けられた運搬補助部材を備える。
【０００９】
以上のように構成した本発明に係る運搬補助用ウエストバッグによれば、運搬補助部材の水平支持部に運搬物が支持され、この運搬物を腕部で支持することで、運搬物による荷重を、腕部および、腹当て部によって腹部とに分散して負荷させることが可能になる。したがって、本発明の運搬補助用ウエストバッグによれば、運搬時の負担が軽減され、運搬作業の効率が向上される。
【００１０】
また、本発明に係る他の運搬補助用ウエストバッグが備えるバッグ部材は、ベルト部に設けられて腰部に押し当てられる腰当て部を有することが好ましい。これによって、運搬補助部材の水平支持部に支持された運搬物による荷重を、腕部および腹当て部に加えて、腰当て部によって腰部にも分散して負荷させることが可能になる。したがって、この運搬補助用ウエストバッグによれば、運搬時の負担が更に軽減される。
【発明の効果】
【００１１】
上述したように本発明に係る運搬補助用ウエストバッグによれば、運搬時の負担の軽減を図り、運搬作業の効率を向上することができる。
【発明を実施するための最良の形態】
【００１２】
以下、本発明の具体的な実施形態について、図面を参照して説明する。
【００１３】
本実施形態の運搬補助用ウエストバッグは、例えば、倉庫での運搬作業や配送作業等で、物品が収納された収納箱等の運搬物を運搬するために用いられるものである。
【００１４】
図１に示すように、運搬補助用ウエストバッグ１は、運搬作業に必要な物品等を収納するためのバッグ部材５と、このバッグ部材５に設けられ運搬物を支持するための運搬補助部材６とを備えている。
【００１５】
バッグ部材５は、例えばナイロン等の合成繊維によって形成されており、外周部に撥水加工が施されている。このバッグ部材５は、物品を収納する収納部１１と、この収納部１１を腰部に装着するためのベルト部１２と、腰部に押し当てられる腰当て部材１３とを有している。
【００１６】
収納部１１には、蓋体１４がファスナを介して開閉自在に設けられている。蓋体１４には、図２に示すように、運搬物３が載せられる天面が、運搬補助用ウエストバッグ１が腰部に装着された際にほぼ水平になるように形成されている。蓋体１４の天面上には、この天面上に載せられた運搬物３が滑り落ちるのを防止する滑り止め部材１５が接合されている。この滑り止め部材１５としては、例えばタピール等の生地が用いられている。
【００１７】
また、この収納部１１内には、図示しないが、内部に配置される運搬補助部材６を固定するための固定用ベルト、運搬補助部材６を覆って遊動を規制する内側カバーがそれぞれ設けられ、また腹部に対応する位置に、運搬補助部材６が押し当てられる際の押圧力を緩和するための緩衝体が設けられている。この緩衝体は、例えば発泡プラスチックによって厚さ５ｍｍ程度に形成されている。また、収納部１１の両端には、ベルト部１２に連結される連結片１６がそれぞれ設けられている。
【００１８】
また、収納部１１の外周部の正面側には、小物を収納するためのポケット１７が設けられている。さらに、収納部１１の外周部には、ポケット１７の取り出し口に設けられたファスナを覆うようにカバー１８が設けられており、ポケット１７内に雨滴等が進入することが防止されている。
【００１９】
ベルト部１２は、ベルト部１２全体の長さを調整するための調整具２１と、腰部に着脱するための着脱具２２とによって複数のベルト２３が連結されている。ベルト２３は、腰部に食い込むことを抑えるために、幅５０ｍｍ程度に形成されている。着脱具２２は、腰部の両脇に対応するようにそれぞれ設けられており、ホルダ部材２２ａと、このホルダ部材２２ａ内に挿入されて係合されるリリース部材２２ｂとを有している。着脱具２２は、リリース部材２２ｂの操作片を押し込み操作することで、ホルダ部材２２ａとリリース部材２２ｂとの係合状態が解除され、いわゆるワンタッチ操作でベルト２３が分離される。
【００２０】
腰当て部材１３の内部には、腰部に腰当て部材１３が押し当てられた際の押圧力を緩和するための緩衝体（不図示）が設けられている。この緩衝体は、例えば発泡プラスチックによって厚さ５ｍｍ程度に形成されている。また、腰当て部材１３の両端には、ベルト部１２の一端に連結される連結片２０が設けられている。
【００２１】
運搬補助部材６は、バッグ部材５の収納部１１内に固定されて設けられており、図３（ａ）〜図３（ｃ）に示すように、運搬物３を支持するための水平支持板２５と、この水平支持板２５に直交して形成されて腹部に押し当てられる腹当て板２６と、運搬補助部材６の剛性を補強するための複数の補強板２７とを有している。
【００２２】
水平支持板２５、腹当て板２６、および補強板２７は、例えば、合成樹脂材によって段ボール状に形成された、いわゆる比較的剛性が高いプラスチック製段ボールからなる。プラスチック製段ボールとしては、厚さ５ｍｍ程度のものが用いられている。また、水平支持板２５は、図３（ａ）に示すように、幅Ｗが２００ｍｍ程度、長さＬが７０ｍｍ程度に形成されている。
【００２３】
腹当て板２６は、プラスチック製段ボールの中芯の縦目（順目）が、鉛直方向と平行にされており、水平支持板２５上に載せられる運搬物３によって鉛直方向に作用する荷重に対する機械的強度が確保されている。また、腹当て板２６は、図３（ｃ）に示すように、高さＨが１２０ｍｍ程度に形成されている。
【００２４】
水平支持板２５および腹当て板２６は、１枚のプラスチック製段ボールの主面に切り込みが設けられ、この切り込みに沿ってほぼ直交するように折り曲げて熱溶着することで、略Ｌ字状に一体に形成されている。
【００２５】
水平支持板２５および腹当て板２６には、補強板２７の各端部が差し込まれて係合される係合溝２５ａ，２６ａが厚み方向に貫通してそれぞれ設けられている。
また、腹当て板２６には、収納部１１内に設けられた固定用ベルト（不図示）が挿通される挿通溝２６ｂが設けられている。この挿通溝２６ｂに挿通された固定用ベルトによって、腹当て板２６は、収納部１１内の所定位置に着脱可能に固定されている。
【００２６】
各補強板２７は、腹当て板２６と同様に、プラスチック製段ボールの中芯の縦目が鉛直方向と平行になるように、水平支持板２５の下面と、腹当て板２６の正面とに跨って隅部の複数箇所に設けられている。
【００２７】
また、運搬補強部材６の腹当て板２６には、腹部に対向する背面側の下端部から正面側外周縁部にわたって、腹部に腹当て板２６が押し当てられた際の押圧力を緩和するための緩衝体２８が設けられている。この緩衝体２８は、例えば発泡プラスチックによって厚さ１０ｍｍ程度に形成されており、腹当て板２６に接着剤によって固定されている。
【００２８】
以上のように構成された運搬補助用ウエストバッグ１について、運搬物３を運搬する状態を説明する。
【００２９】
まず、運搬補助用ウエストバッグ１は、図４に示すように、収納部１１内の運搬補助部材６の腹当て板２６が腹部に当てられて、運搬者の腰回りにベルト部１２が装着される。
【００３０】
運搬者は、収納部１１の蓋体１４上に、運搬物３の一部を載置することで、運搬補助部材６によって運搬物３を支持するとともに、腕部で運搬物３を支持する状態で運搬する。また、運搬者は、収納部１１の蓋体１４上に、複数の運搬物３を積み重ねて載置して、例えば最下方の運搬物３を腕部で支持する状態で運搬する。
【００３１】
この状態で、運搬物３による荷重が腰当て部材１３、腹当て板２６および腕部に分散して負荷されるため、運搬者は、腰部、腹部、腕部で運搬物３を支持することが可能になる。また、運搬者は、例えば、腕部で発揮する支持力の大きさを調整し、腕部による運搬物３の支持力を大きくするように調整することで、腹部、腰部に負荷される荷重が小さくなるように荷重の配分を調整することも可能である。
【００３２】
また、運搬者は、例えば複数の運搬物３を積み重ねて運搬する場合、最下方の運搬物３を腹部に突き当てることで支持位置が安定し、複数の運搬物３を安定した状態で運搬することができる。
【００３３】
また、運搬補助用ウエストバッグ１は、例えば段ボール箱等の運搬物３を運搬する場合に、運搬物３の底面の角部近傍のみが、収納部１１の蓋体１４上に載置されるように構成されており、図３（ａ）に示したように、運搬補助部材６の水平支持板２５の長さＬが比較的短く、７０ｍｍ程度に設定されている。
【００３４】
このように、水平支持板２５の長さＬが設定されることで、運搬補助部材６は、水平支持板２５に載せられた運搬物３による荷重が主に鉛直方向に作用し、腹当て板２６を介して腹部を押圧する方向に作用する荷重の成分が小さくされており、運搬者の負担が軽減されている。すなわち、水平支持板２５の長さＬを比較的長く形成した場合には、運搬物３による荷重において、鉛直方向に作用する成分が小さくなり、腹部を押圧する方向に作用する荷重の成分が大きくなるので好ましくない。
【００３５】
上述したように、運搬補助用ウエストバッグ１によれば、ベルト部１２に設けられた腰当て部材１３と、バッグ部材５の収容部１１内に設けられた運搬補助部材６とを備えることによって、運搬物３による荷重が腹当て板２６および腰当て部材１３に分散して負荷されるため、腕部、腹部、腰部で運搬物３を支持することが可能になる。このため、この運搬用ウエストバッグ１によれば、腰部への負担が小さくされ、運搬時の負担の軽減が図られる。したがって、この運搬用ウエストバッグ１によれば、運搬物３を容易に運搬することが可能になり、運搬作業の効率を向上することができる。
【００３６】
また、この運搬補助用ウエストバッグ１によれば、運搬物３を腕力だけで支持する必要がないため、腕力が比較的小さい運搬者であっても、複数の運搬物３を積み重ねて運搬することが可能になり、運搬作業の効率を向上することができる。
【００３７】
また、この運搬補助用ウエストバッグ１は、バッグ部材５と運搬補助部材６とが別体に形成されるとともに、バッグ部材５が収納部１１と腰当て部材１３とに分離可能に構成されたことで、いずれかの部材が損傷した場合等に、その部材のみを交換することが可能にされている。
【図面の簡単な説明】
【００３８】
【図１】本発明に係る運搬補助用ウエストバッグを示す斜視図である。
【図２】前記運搬補助用ウエストバッグを示す側面図である。
【図３】運搬補助部材を示す図であって、（ａ）が平面図、（ｂ）が側面図、（ｃ）が正面図である。
【図４】前記運搬補助用ウエストバッグを用いて運搬物を運搬する状態を示す模式図である。
【符号の説明】
【００３９】
１  運搬補助用ウエストバッグ
３  運搬物
５  バッグ部材
６  運搬補助部材
１１  収納部
１２  ベルト部
１３  腰当て部材
１５  滑り止め部材
１７  ポケット
１８  カバー
２５  水平支持板
２６  腹当て板
２７  補強板
２８  緩衝体
【図１】
2005280884.tif 000003
【図２】
2005280884.tif 000004
【図３】
2005280884.tif 000005
【図４】
2005280884.tif 000006